(57)【要約】【課題】  分離と組立が容易な組み立て式燭台であり、特に分離時にも美的感覚を伴って保管可能なものを提供すること。【解決手段】  複数枚の板材７，８，９を互いに組み合わせることで構成される組み立て式燭台１であって、他の板材と互いに組み合わせ可能な組付溝１０，１１を設けた板材７，８と、両板材７，８のそれぞれに設けられ二枚の板材７，８が互いに組付溝１０，１１を組み合わせた状態とされたときに整合した位置となる固定用孔１２，１２と、前記両固定用孔１２，１２に挿入されることで二枚の板材７，８を固定する固定部材５と、板材７に形成されて蝋燭を立てることができる蝋燭立て部１４と、この蝋燭立て部１４を挿通可能な挿通部１６が設けられ蝋燭の底部側に位置する底部用板材９とが設けられたものであって、全板材７，８，９を分離して平面状に展開したときには、所定の一枚の形状に組み合わせ可能である組み立て式燭台１によって達成される。【選択図】          図１
0003159191.tif 000002
【実用新案登録請求の範囲】
【請求項１】
複数枚の板材を互いに組み合わせることで構成される組み立て式燭台であって、
他の板材と互いに組み合わせ可能な組付溝を設けた少なくとも二枚以上の板材と、前記両板材のそれぞれに設けられ前記二枚の板材が互いに前記組付溝を組み合わせた状態とされたときに整合した位置となる固定用孔と、前記両固定用孔に挿入されることで前記二枚の板材を固定する固定部材と、前記板材に形成されて蝋燭を立てることができる蝋燭立て部と、この蝋燭立て部を挿通可能な挿通部が設けられ蝋燭の底部側に位置する底部用板材とが設けられたものであって、
前記全板材を分離して平面状に展開したときには、所定の一枚の形状に組み合わせ可能であることを特徴とする組み立て式燭台。
【請求項２】
少なくとも一枚の板材は、他の板材とは別の色が施されており、前記全板材が所定の一枚の形状に組み合わせて平面状に展開されたときに、所定の模様を形成することを特徴とする請求項１に記載の組み立て式燭台。
【請求項３】
前記固定用孔は、前記組付溝の奥側位置に設けられており、前記組付溝の開口幅よりも大きな開口幅を有すると共に前記組付溝の開放方向に対して直交する成分を持つ固定壁部を備えていることを特徴とする請求項１または２に記載の組み立て式燭台。
【請求項４】
前記底部用板材には、前記蝋燭立て部に挿通されたときに前記板材を受け入れ可能な安定溝が設けられていることを特徴とする請求項１〜３のいずれか一つに記載の組み立て式燭台。
【請求項５】
請求項１〜４のいずれか一つに記載の組み立て式燭台と、この燭台を分離して前記所定の一枚の形状で組み合わせた状態で収納可能かつ透明な展示用収納器とを備えたことを特徴とする分離した組み立て式燭台の展示装置。
【考案の詳細な説明】
【技術分野】
【０００１】
本考案は、組み立て式燭台に関するものである。
【背景技術】
【０００２】
一般に燭台は、仏具・墓参などに使用されており、金属製・陶磁器製のものが多く製造されている。燭台を用いる行事の多くは、所定の場所で使用されるため、固定式のものがほとんどである。このため、組み立て式の燭台を提供しようとする意識には乏しかった。また、燭台に美的感覚を持ち込もうとする意識も乏しかった。
【先行技術文献】
【特許文献】
【０００３】
【特許文献１】実用新案登録第３１４４２９５号
【考案の概要】
【考案が解決しようとする課題】
【０００４】
特許文献１には、分離と組立てが容易な行灯が開示されているが、保管時に嵩張らない状況を提供するのみであり、保管時における美的感覚を持ち込んだものではなかった。
本考案は、上記状況に鑑みてなされたものであり、その目的は、分離と組立が容易な組み立て式燭台であり、かつ分離時にも美的感覚を伴って保管可能なものを提供することである。
【課題を解決するための手段】
【０００５】
複数枚の板材を互いに組み合わせることで構成される組み立て式燭台であって、他の板材と互いに組み合わせ可能な組付溝を設けた少なくとも二枚以上の板材と、前記両板材のそれぞれに設けられ前記二枚の板材が互いに前記組付溝を組み合わせた状態とされたときに整合した位置となる固定用孔と、前記両固定用孔に挿入されることで前記二枚の板材を固定する固定部材と、前記板材に形成されて蝋燭を立てることができる蝋燭立て部と、この蝋燭立て部を挿通可能な挿通部が設けられ蝋燭の底部側に位置する底部用板材とが設けられたものであって、前記全板材を分離して平面状に展開したときには、所定の一枚の形状に組み合わせ可能であることを特徴とする。
【０００６】
組み立て式燭台を組み立てるには、まず、二枚の板材において、互いの組付溝が合うようにして組み合わせる。次いで、整合した固定用孔に固定部材を挿入することで、両板材が所定の位置に固定される。このようにして、全ての板材の組付けが完了した後に、板材に設けられた蝋燭立て部に底部用板材の挿通部を挿通させる。こうして、組み立て式燭台の組立が完了する。
また、組み立て式燭台を分離したときには、全板材を所定の一枚の形状に組み合わせて平面状に展開し、この展開形状で保存できる。
【０００７】
本考案において、少なくとも一枚の板材は、他の板材とは別の色が施されており、前記全板材が所定の一枚の形状に組み合わせて平面状に展開されたときに、所定の模様を形成することが好ましい。
このような構成とすれば、分離したときには、所定の模様とした状態で展開・保存できるので、保存時にも美的感覚を伴ったものとなる。
本考案において、前記固定用孔は、前記組付溝の奥側位置に設けられており、前記組付溝の開口幅よりも大きな開口幅を有すると共に前記組付溝の開放方向に対して直交する成分を持つ固定壁部を備えていることが好ましい。
このような構成とすれば、固定用孔を組付溝とは別に形成する場合に比べると、組付溝の奥側を広げることで固定用孔を形成できるので、板材の成形が容易となる。
本考案において、前記底部用板材には、前記蝋燭立て部に挿通されたときに前記板材を受け入れ可能な安定溝が設けられていることが好ましい。
このような構成とすれば、底部用板材を組み付けたときに、組み立て式燭台の安定性が向上する。
【０００８】
本考案において、前記二枚の板材を組み合わせたときに、両板材は、ほぼ９０度をなした状態となることが好ましい。
このような構成とすれば、両板材の組み付け角度が鋭角（９０度未満）になる場合と比べると、組付溝の開口幅は最も小さくなり、かつ組付溝を構成する壁面は、板材に対してほぼ直交する構成になるので、板材の成形を行いやすい。また、組み立て式燭台を組み立てたときの安定性が向上する。
本考案において、前記所定の一枚の形状は、円形状、楕円形状または多角形状からなる群から選択される一つの形状であることが好ましい。
また、本考案において、組み合わせられる板材は二枚であり、前記蝋燭立て部は一個であることが好ましい。また、本考案において、組み合わせられる板材は三枚以上であり、前記蝋燭立て部は、二個以上に設けられることが好ましい。
【０００９】
また、本考案に係る分離した組み立て式燭台の展示装置は、上記いずれか一つの燭台と、この燭台を分離して前記所定の一枚の形状で組み合わせた状態で収納可能かつ透明な展示用収納器とを備えたことを特徴とする。
この展示装置によれば、分離した燭台が、所定の一枚の形状で組み合わせて展示されるので、保存に適したものとなる。特に、所定の模様が形成されるものの場合には、好ましい保存および展示形態となる。
【００１０】
板材とは、厚みが薄く（約０.２ｍｍ〜約５ｍｍ、好ましくは約０.３ｍｍ〜約３ｍｍ）平板状の材質を意味する。板材の材質としては、金属製（ステンレス製、鉄製、銅製、アルミニウム製など）、プラスチック製、木製、紙製のものが例示される。但し、板材のうち、蝋燭立て部については、耐熱性を備えていることが好ましい。板材は、１種類の材質にて一体に形成することができるし、２種類以上の材質を組み合わせて形成することができる。
本考案においては、少なくとも二枚以上の板材を組み合わせて燭台が構成される。
組付溝とは、板材の一方向側に開放された空間部分であって、二枚の板材のそれぞれに設けられた組付溝を互いに組み合わせることによって、両板材を起立状態とできる。
【００１１】
板材は三枚以上として、互いに組付溝を組み合わせて、固定部材で固定することで起立させることができる。このとき、一個または二個以上の蝋燭立て部を設けることができる。例えば、四枚の板材を井桁状に組み合わせて起立させた状態とし、四個の蝋燭立て部を設けることができる。
固定部材の材質は特に規定されず、木製、プラスチック製、金属製などで製造できる。
展示用収納器は、透明な薄い入れものとして構成できる。展示用収納器は、例えば透明なプラスチックで形成できる。展示用収納器に組み立て式燭台を平面状に展開して収納すると、例えば絵画のように展示状態としながら保存できる。
【考案の効果】
【００１２】
本考案によれば、分離と組立が容易な組み立て式燭台であり、かつ分離時にも美的感覚を伴って保管可能なものが提供できる。
【図面の簡単な説明】
【００１３】
【図１】本考案の第１実施形態において、組み立て式燭台を分離して、全板材を平面状に展開し、所定の一枚の四角形状に組み合わせ、プラスチックケースに収容したときの平面図である。
【図２】上側板材における組付溝付近の拡大平面図である。
【図３】二枚の板材を組み合わせる前の斜視図である。
【図４】二枚の板材において、互いの組付溝を組み合わせたときの斜視図である。
【図５】二枚の板材において、互いの組付溝を組み合わせたときの斜視図である。
【図６】二枚の板材を組み合わせ、固定部材を固定用孔に挿入する前の斜視図である。
【図７】固定部材を固定用孔に挿入して、二枚の板材を固定した様子を示す斜視図である。
【図８】固定された二枚の板材の上方から、底部用板材を組み付ける前の斜視図である。
【図９】組み立て式燭台を組み立てたときの斜視図である。
【図１０】組み立て式燭台を組み立てたときの斜視図である。
【図１１】本考案の第２実施形態において、組み立て式燭台を分離して、全板材を平面状に展開し、所定の一枚の四角形状に組み合わせ、プラスチックケースに収容したときの平面図である。
【図１２】二枚の板材を組み合わせる前の斜視図である。
【図１３】二枚の板材において、互いの組付溝を組み合わせたときの斜視図である。
【図１４】二枚の板材を組み合わせ、固定部材を固定用孔に挿入する前の斜視図である。
【図１５】固定部材を固定用孔に挿入して、二枚の板材を固定した様子を示す斜視図である。
【図１６】固定された二枚の板材の上方から、底部用板材を組み付ける前の斜視図である。
【図１７】組み立て式燭台を組み立てたときの斜視図である。
【考案を実施するための形態】
【００１４】
次に、本考案の実施形態について、図面を参照しつつ説明する。本考案の技術的範囲は、これらの実施形態によって限定されるものではなく、考案の要旨を変更することなく様々な形態で実施できる。
＜第１実施形態＞
まず、図１〜図１０を参照しつつ、本考案の第１実施形態について説明する。図１には、組み立て式燭台１を分離して、全板材を平面状に展開し、所定の一枚の四角形状に組み合わせ、プラスチックケース（本考案の展示用収納器に該当する）２に収容したときの平面図を示した。図１に示す状態では、平面状に展開された組み立て式燭台１とプラスチックケース２とを備えた展示装置２０とされており、この状態で展示、保存、または販売を行えるようになっている。
【００１５】
プラスチックケース２は、透明なプラスチックにより形成されており、その内部には、四角形状に組み合わせられた組み立て式燭台１を収容可能な収容溝部３を設けた収容部４が設けられている。なお、詳細には図示しないが、プラスチックケース２は、組み立て式燭台１を収容して起立状態（例えば、絵画を展示する状態）とできるように、組み立て式燭台１が脱落しないように閉止できるようになっている。このような構成として、例えば（１）ＣＤケースのようにヒンジ部分を利用して開閉可能とする構成、（２）収容部を設けた本体部と、この本体部に対して上面から着脱可能に組み付けできる蓋部とを設けた構成などが例示される。プラスチックケース２の外面からは、内部に収容された組み立て式燭台１が視認可能とされている。プラスチックケース２は、表裏両面側から組み立て式燭台１を視認可能としても良いし、表裏いずれかの面側のみから視認可能としても良い。
【００１６】
収容部４は、プラスチックケース２に一体に形成しても良いし、他の部材（例えば、段ボールなどの紙製の部材）をプラスチックケース２の内部に装着しても良い。収容部４には、収容溝部３の他に、固定部材５を収容可能な第２収容溝部６が設けられている。固定部材５は、木材により先細のくさび状に形成されている。
図１に示すように、組み立て式燭台１には、二枚の板材７，８と、一枚の底部用板材９とが設けられている。これらの板材７，８，９は、ほぼ同じ厚さ（約１.５ｍｍ程度）を備えた鉄材によって、それぞれ一体に形成されている。また、上側板材７の彩色（例えば、黒色）は、他の板材８，９の彩色（例えば、赤色）とは異なるものが施されており、分離展開した組み立て式燭台１を四角形状かつ平面状に組み合わせたときに、所定の模様（例えば、工場街に月が出たような景色）が形成されるようになっている。
【００１７】
二枚の板材７，８は、図１に示す展開状態において形成される四角形をほぼ上下に分割するようにして構成されており、後述するように上下方向に組付け可能とされている。上下一対の板材７，８のそれぞれには、中央位置から一端側に寄った位置に、互いに組み合わせ可能な組付溝１０，１１が設けられている。組付溝１０，１１は、それぞれ板材７，８の底辺７Ａ，８Ａに対して、ほぼ直交する方向に設けられている。組付溝１０，１１の開口幅Ｌは、両板材７，８の厚さよりも僅かに広い幅とされている。また、図２に示すように、両組付溝１０，１１の最奥部には、組付溝１０，１１の開口幅Ｌよりも大きな開口幅Ｍを持つ固定用孔１２が設けられている（なお、図２には、上側板材７の組付溝１０を拡大して示すが、下側板材８の組付溝１１においても、同様の構造であるため、図示を省略する）。固定用孔１２を形成する壁部のうち、最も浅い位置には、組付溝１０，１１が開放する方向に対して直交する固定壁部１３が左右一対に設けられている。両板材７，８の組付溝１０，１１を組み合わせて、両底辺７Ａ，８Ａの高さが一致する位置まで挿入したときには、両固定用孔１２，１２が整合するようになっている。また、このときには、両板材７，８は、ほぼ９０度をなした状態に組み合わせられる。
【００１８】
上側板材７において、組付溝１０に対向する辺からは、蝋燭を立てることができる蝋燭立て部１４が突設されている。また、上側板材７には、板材収容口１５が開口されており、ここには底部用板材９が収容されている。底部用板材９は、略円形状とされており、その中央には、蝋燭立て部１４を挿通可能な挿通部１６が設けられている。また、底部用板材９の外周縁には、ほぼ９０度を隔てて二つの安定溝１７，１７が設けられている。安定溝１７の開口幅Ｌは、組付溝１０の開口幅Ｌと同等とされ、板材７，８，９の厚さよりも僅かに広い幅とされている。一方、板材収容口１５の縁部において、安定溝１７，１７の離間角度に合わせた位置には、安定溝１７，１７に嵌り込むことで、底部用板材９の位置決めを行う回り止め突部１８，１８が内向きに突設されている。
また、下側板材８において、所定の位置には、円形状の飾り窓１９が開口されている。
【００１９】
次に、上記のように構成された本実施形態を組み付ける操作について説明する。
まず、図３〜図５に示すように、二枚の板材７，８において、互いの組付溝１０，１１が合うように組み合わせる。このとき両板材７，８は、上方から見たときに、ほぼ直交するようになっている。両板材７，８は、多少のがたつきがあるものの、組付溝１０，１１の両縁部によって適当に位置決めされた状態となる。この状態で、両板材７，８の底辺７Ａ，８Ａの位置を一致させると、両固定用孔１２，１２の位置が整合する。
次いで、図６及び図７に示すように、固定用孔１２，１２に固定部材５を挿入することで、両板材７，８が組付溝１０，１１に沿って離間する上下方向に対して抜け止めされた状態となり、所定の位置に固定される。
【００２０】
上下の板材７，８の組付けが完了した後に、図８〜図１０に示すように、上側板材７に設けられた蝋燭立て部１４に底部用板材９の挿通部１６を挿通させる。このとき、安定溝１７，１７に両板材７，８を組み付ける。このようにして、組み立て式燭台１の組立操作が完了する。
なお、この状態で蝋燭立て部１４に蝋燭を組み付けて点火しても良いし、蝋燭立て部１４に、図示しないロウ受け皿を装着した状態で蝋燭を組み付けて点火することもできる。
【００２１】
このように本実施形態においては、次のような効果を奏する。
１．分離と組立が容易な組み立て式燭台１を提供できた。
２．組み立て式燭台１を分離したときには、全板材７，８，９を所定の一枚の四角形状に組み合わせて、平面状に展開できる。この展開形状で、プラスチックケース２に収容して保存できる。
３．組み立て式燭台１を分離したときには、全板材７，８，９が所定の模様を形成するようになっているので、保存・展示時にも美的感覚を伴ったものとなる。
４．底部用板材９には、蝋燭立て部１４に挿通されたときに板材７，８を受け入れ可能な安定溝１７，１７が設けられているので、組み立て式燭台１の安定性が向上する。
５．展示装置２０は、分離した燭台が、所定の四角形状で組み合わせて展示されるので、保存に適したものとなる。
【００２２】
＜第２実施形態＞
次に、図１１〜図１７を参照しつつ、本考案の第２実施形態について説明する。なお、第１実施形態と第２実施形態とにおいて、同一の作用を奏する構成については、同一の符号を付して説明を省略する。
図１１に示すように、平面状に展開された組み立て式燭台１’では、上下一対の板材３０，３１が、ほぼコの字状に分割された状態で形成されており、両板材３０，３１が組み合わせられることで、その中央に、ほぼ四角形状の板材収容口１５が形成され、その内側に底部用板材３２が収容されている。板材３０のほぼ中央位置には、底辺３０Ａに開放する組付溝１０が設けられており、この底辺３０Ａに対向する辺の中央には、蝋燭立て部１４が突設されている。また、板材３１のほぼ中央位置には、底辺３１Ａに対向する辺に開放する組付溝１１が設けられている。
底部用板材３２の一辺には、分離展開時に蝋燭立て部１４を収容する収容溝３２Ａが設けられている。また、底部用板材３２の彩色（例えば、青色）は、両板材３０，３１の彩色（例えば、黒色）とは、異なるようにされており、図１１に示す展開形状では、所定の模様（例えば、幾何学模様、あるいは中央に四角な花弁を持つ花を模した模様）が形成されるようになっている。
【００２３】
また、底部用板材３２の四隅には、板材３０，３１を組み付け可能な安定溝１７が設けられている。
このように構成された本実施形態の組み立て式燭台１’を組み立てるには、まず、図１２及び図１３に示すように、二枚の板材３０，３１において、互いの組付溝１０，１１が合うように組み合わせる。両板材３０，３１の底辺３０Ａ，３１Ａの高さ位置を一致させると、両固定用孔１２，１２が整合する。
次いで、図１４及び図１５に示すように、固定用孔１２，１２に固定部材５を挿入して、両板材３０，３１を抜け止め状態に固定する。
【００２４】
こうして、上下の板材３０，３１の組付けが完了した後に、図１６及び図１７に示すように、上側板材３０に設けられた蝋燭立て部１４に底部用板材３２の挿通部１６を挿通させる。底部用板材３２の四箇所の安定溝１７にコ字状に形成された両板材３０，３１の対向する辺のそれぞれを組み付けることで、組み立て式燭台１’の組立操作が完了する。
このようにして構成された第２実施形態においても、第１実施形態と同様の効果を奏する。
このように、本実施形態によれば、分離と組立が容易な組み立て式燭台であり、かつ分離時にも美的感覚を伴って保管可能なものが提供できた。
【００２５】
なお、上記実施形態については、次のように変形して実施することもできる。
１．上記実施形態では、それぞれ二色を用いて板材を彩色しているが、本考案によれば、三色以上の色彩を用いても良い。
２．上記実施形態では、二枚の板材を組み合わせて起立状態とさせ、一本の蝋燭を立てる構成としているが、本考案によれば、三枚以上の板材を組み合わせて、一本または二本以上の蝋燭を立てる構成としても良い。
３．上記実施形態では、組み立て式燭台を分離・展開して組み合わせると四角形状としているが、本考案によれば、円形状、楕円形状、三角形状、五角形状、六角形状等となるように構成しても良い。
４．上記実施形態では、固定用孔は、組付溝に連続して形成されているが、本考案によれば、組付溝とは別に固定用孔を設けても良い。
５．上記実施形態では、組付溝を用いて二枚の板材を組み付けたときには、両板材は、ほぼ９０度をなした状態となっているが、本考案によれば、９０度よりも小さな角度をなした状態となるように、組付溝を形成しても良い。
【符号の説明】
【００２６】
１，１’…組み立て式燭台
２…プラスチックケース（展示用収納器）
５…固定部材
７，８，３０，３１…板材
９，３２…底部用板材
１０，１１…組付溝
１２…固定用孔
Ｌ…組付溝の開口幅
Ｍ…固定用孔の開口幅
１３…固定壁部
１４…蝋燭立て部
１６…挿通部
１７…安定溝
２０…展示装置
【図１】
0003159191.tif 000003
【図２】
0003159191.tif 000004
【図３】
0003159191.tif 000005
【図４】
0003159191.tif 000006
【図５】
0003159191.tif 000007
【図６】
0003159191.tif 000008
【図７】
0003159191.tif 000009
【図８】
0003159191.tif 000010
【図９】
0003159191.tif 000011
【図１０】
0003159191.tif 000012
【図１１】
0003159191.tif 000013
【図１２】
0003159191.tif 000014
【図１３】
0003159191.tif 000015
【図１４】
0003159191.tif 000016
【図１５】
0003159191.tif 000017
【図１６】
0003159191.tif 000018
【図１７】
0003159191.tif 000019